(57)【要約】【課題】断熱層近傍における結露の発生を抑えることができる空気調和機の室内機を提供する。【解決手段】空気調和機の室内機は、支持部１４とスクロール１２と底面部７５とリブ９１，９２，９３，９４とを備える。支持部１４とスクロール１２と底面部７５とは、空気が密閉されることにより断熱層として機能する第１密閉空間Ｓ１を形成する。リブ９１，９２，９３，９４は、第１密閉空間Ｓ１を複数の空間に仕切る。【選択図】        図７
2005016848.tif 000002
【特許請求の範囲】
【請求項１】
気体が密閉されることにより断熱層として機能する密閉空間（Ｓ１）を形成する密閉空間形成部材（１２，１４，７５）と、
前記密閉空間（Ｓ１）を複数の空間に仕切る仕切部材（９０−９５）と、
を備える空気調和機（１）の室内機（２）。
【請求項２】
前記仕切部材（９０−９５）は、前記密閉空間（Ｓ１）内の前記気体の流れを遮るために設けられる、
請求項１に記載の空気調和機（１）の室内機（２）。
【請求項３】
前記仕切部材（９０−９５）は、前記密閉空間形成部材（１２，７５）の前記密閉空間（Ｓ１）に面する内面から延びるリブ（９０−９５）である、
請求項１または２に記載の空気調和機（１）の室内機（２）。
【請求項４】
複数の前記リブ（９０−９５）が、前記密閉空間形成部材（１２，７５）の前記密閉空間（Ｓ１）に面する内面に設けられる、
請求項３に記載の空気調和機（１）の室内機（２）。
【請求項５】
前記密閉空間形成部材（７５）は、前記密閉空間（Ｓ１）の下方を閉じる底面（７５）を有し、
前記リブ（９０）は、前記底面（７５）の前記密閉空間（Ｓ１）に面する内面に設けられる底面リブ（９０）を有する、
請求項３または４に記載の空気調和機（１）の室内機（２）。
【請求項６】
前記底面リブ（９０）は、室内へと吹出される空気の吹出し方向に並んで前記底面（７５）の前記密閉空間（Ｓ１）に面する内面に配置される複数の第１リブ（９１）を有する、
請求項５に記載の空気調和機（１）の室内機（２）。
【請求項７】
前記底面リブ（９０）は、前記吹出し方向に交差し且つ前記底面（７５）に平行な方向に並んで前記底面（７５）の前記密閉空間（Ｓ１）に面する内面に配置される複数の第２リブ（９２）をさらに有する、
請求項６に記載の空気調和機（１）の室内機（２）。
【請求項８】
前記密閉空間形成部材（１２）は、室内へと吹出される空気が通る空気経路（Ｒ１）と前記密閉空間（Ｓ１）との間を仕切る壁面（１２）を有し、
前記リブ（９５）は、前記壁面（１２）の前記密閉空間（Ｓ１）に面する内面に設けられる壁面リブ（９５）を有する、
請求項３から７のいずれかに記載の空気調和機（１）の室内機（２）。
【請求項９】
前記壁面リブ（９５）は、室内へと吹出される空気の吹出し方向に並んで前記壁面（１２）の前記密閉空間（Ｓ１）に面する内面に配置される複数の第３リブ（９３）を有する、
請求項８に記載の空気調和機（１）の室内機（２）。
【請求項１０】
前記壁面リブ（９５）は、前記吹出し方向と交差し且つ前記壁面（１２）に平行な方向に並んで前記壁面（１２）の前記密閉空間（Ｓ１）に面する内面に配置される複数の第４リブ（９４）をさらに有する、
請求項９に記載の空気調和機（１）の室内機（２）。
【請求項１１】
前記リブ（９０−９５）は５ｍｍ以上の高さを有する、
請求項３から１０のいずれかに記載の空気調和機（１）の室内機（２）。
【請求項１２】
複数の前記第１リブ（９１）は、１０ｍｍ以上２０ｍｍ以下の間隔で配置される、
請求項６に記載の空気調和機（１）の室内機（２）。
【請求項１３】
複数の前記第３リブ（９３）は、１０ｍｍ以上２０ｍｍ以下の間隔で配置される、
請求項９に記載の空気調和機（１）の室内機（２）。
【請求項１４】
前記密閉空間（Ｓ１）に密閉される気体は空気である、
請求項１から１３に記載の空気調和機（１）の室内機（２）。
【発明の詳細な説明】
【０００１】
【発明の属する技術分野】
本発明は、空気調和機の室内機に関する。
【０００２】
【従来の技術】
空気調和機の室内機では、空調効率の向上等の観点から断熱層が設けられることがある。この断熱層は、発泡材などの断熱材を空気調和機の室内機のケーシングなどに貼り付けることによって形成されることが多い。また、気体が密閉されることにより断熱層として機能する密閉空間が形成されることもある。例えば、ケーシングの一部が中空に形成されることにより、空気などの気体が密閉された密閉空間が形成されて断熱層として利用される（特許文献１参照）。このように、密閉空間が断熱層として利用されると、断熱材の使用を低減することができ、コストを削減することができる。
【０００３】
【特許文献１】
特開２００２−２９５８８８号公報（［００５２］および第２図）
【０００４】
【発明が解決しようとする課題】
しかし、上記のように、密閉空間が断熱層として利用されると、密閉空間において気体の対流が発生することがある。この場合、密閉空間を形成するケーシングなどの内面に沿って冷たい気体が対流することによって、ケーシングが冷やされる。これにより、ケーシングの外側において結露が生じる場合がある。
【０００５】
本発明の課題は、断熱層近傍における結露の発生を抑えることができる空気調和機の室内機を提供することにある。
【０００６】
【課題を解決するための手段】
請求項１に記載の空気調和機の室内機は、密閉空間形成部材と仕切部材とを備える。密閉空間形成部材は、気体が密閉されることにより断熱層として機能する密閉空間を形成する。仕切部材は、密閉空間を複数の空間に仕切る。
この空気調和機の室内機では、仕切部材によって断熱層として機能する密閉空間が複数の空間に仕切られる。このため、密閉空間内での気体の対流が仕切り部材によって抑えられる。これにより、この空気調和機の室内機では、断熱層近傍における結露の発生を抑えることができる。
【０００７】
請求項２に記載の空気調和機の室内機は、請求項１に記載の空気調和機の室内機であって、仕切部材は、密閉空間内の気体の流れを遮るために設けられる。
この空気調和機の室内機では、仕切部材は密閉空間内の気体の流れを遮るために設けられる。従って、密閉空間内での気体の対流が仕切り部材によって抑えられる。これにより、この空気調和機の室内機では、断熱層近傍における結露の発生を抑えることができる。
【０００８】
請求項３に記載の空気調和機の室内機は、請求項１または２に記載の空気調和機の室内機であって、仕切部材は、密閉空間形成部材の密閉空間に面する内面から延びるリブである。
この空気調和機の室内機では、仕切部材は、密閉空間形成部材の密閉空間に面する内面から延びるリブである。このため、密閉空間形成部材の密閉空間に面する内面に沿う気体の流れをリブによって遮ることができる。従って、密閉空間形成部材の密閉空間に面する内面に沿って生じる気体の対流をリブによって抑えることができる。これにより、この空気調和機の室内機では、断熱層近傍における結露の発生を抑えることができる。
【０００９】
請求項４に記載の空気調和機の室内機は、請求項３に記載の空気調和機の室内機であって、複数のリブが、密閉空間形成部材の密閉空間に面する内面に設けられる。
この空気調和機の室内機では、複数のリブが、密閉空間形成部材の密閉空間に面する内面に設けられる。このため、密閉空間はより細かく複数の空間に仕切られる。従って、この空気調和機の室内機では、密閉空間内での気体の対流をより抑えることができる。
【００１０】
請求項５に記載の空気調和機の室内機は、請求項３または４に記載の空気調和機の室内機であって、密閉空間形成部材は、密閉空間の下方を閉じる底面を有する。また、リブは、底面の密閉空間に面する内面に設けられる底面リブを有する。
この空気調和機の室内機では、底面の密閉空間に面する内面に底面リブが設けられる。このため、密閉空間内を下方へ向けて流れて底面に沿って流れる冷たい気体の流れを底面リブによって遮ることができる。これによって、この空気調和機の室内機では、底面近傍における結露の発生を抑えることができる。
【００１１】
請求項６に記載の空気調和機の室内機は、請求項５に記載の空気調和機の室内機であって、底面リブは、複数の第１リブを有する。複数の第１リブは、室内へと吹出される空気の吹出し方向に並んで、底面の密閉空間に面する内面に配置される。
この空気調和機の室内機では、複数の第１リブが、室内へと吹出される空気の吹出し方向に並んで、底面の密閉空間に面する内面に配置される。このため、底面の密閉空間に面する内面に沿って流れる気体の流れのうち吹出し方向或いは吹出し方向と逆方向への流れが、第１リブによって遮られる。これにより、この空気調和機の室内機では、底面における結露の発生を抑えることができる。
【００１２】
請求項７に記載の空気調和機の室内機は、請求項６に記載の空気調和機の室内機であって、底面リブは、複数の第２リブをさらに有する。複数の第２リブは、吹出し方向に対して交差し且つ底面に平行な方向に並んで、底面の密閉空間に面する内面に配置される。
この空気調和機の室内機では、複数の第２リブは、吹出し方向に交差し且つ底面に平行な方向に並んで、底面の密閉空間に面する内面に配置される。このため、底面の密閉空間に面する内面に沿って流れる気体の流れのうち吹出し方向に交差する方向への流れが、第２リブによって遮られる。これにより、この空気調和機の室内機では、底面における結露の発生をより抑えることができる。
【００１３】
請求項８に記載の空気調和機の室内機は、請求項３から７のいずれかに記載の空気調和機の室内機であって、密閉空間形成部材は、室内へと吹出される空気が通る空気経路と密閉空間との間を仕切る壁面を有する。また、リブは、壁面の密閉空間に面する内面に設けられる壁面リブを有する。
この空気調和機の室内機では、壁面の密閉空間に面する内面に壁面リブが設けられる。このため、密閉空間内を壁面に沿って流れる冷たい気体の流れを壁面リブによって遮ることができる。これによって、この空気調和機の室内機では、壁面における結露の発生を抑えることができる。
【００１４】
請求項９に記載の空気調和機の室内機は、請求項８に記載の空気調和機の室内機であって、壁面リブは、複数の第３リブを有する。複数の第３リブは、室内へと吹出される空気の吹出し方向に並んで、壁面の密閉空間に面する内面に配置される。
この空気調和機の室内機では、複数の第３リブが、室内へと吹出される空気の吹出し方向に並んで、壁面の密閉空間に面する内面に配置される。このため、壁面の密閉空間に面する内面に沿って流れる気体の流れのうち吹出し方向或いは吹出し方向と逆方向への流れが、第３リブによって遮られる。これにより、この空気調和機の室内機では、壁面における結露の発生を抑えることができる。
【００１５】
請求項１０に記載の空気調和機の室内機は、請求項９に記載の空気調和機の室内機であって、壁面リブは、第４リブをさらに有する。第４リブは、吹出し方向に交差し且つ壁面に平行な方向に並んで、壁面の密閉空間に面する内面に配置される。
この空気調和機の室内機では、複数の第４リブは、吹出し方向に交差し且つ壁面に平行な方向に並んで、壁面の密閉空間に面する内面に配置される。このため、壁面の密閉空間に面する内面に沿って流れる気体の流れのうち吹出し方向に交差する方向への流れが、第４リブによって遮られる。これにより、この空気調和機の室内機では、壁面における結露の発生をより抑えることができる。
【００１６】
請求項１１に記載の空気調和機の室内機は、請求項３から１０のいずれかに記載の空気調和機の室内機であって、リブは５ｍｍ以上の高さを有する。
この空気調和機の室内機では、リブは５ｍｍ以上の高さを有する。リブによる対流抑制の効果は、リブの高さが５ｍｍ以上である場合により効果的であることを本発明の発明者は明らかにしている。このため、この空気調和機の室内機では、リブによる対流抑制の効果がより高い。なお、リブは密閉空間内に設けられるため、リブの高さの上限は、密閉空間の大きさによって制限される。
【００１７】
請求項１２に記載の空気調和機の室内機は、請求項６に記載の空気調和機の室内機であって、複数の第１リブは、１０ｍｍ以上２０ｍｍ以下の間隔で配置される。
この空気調和機の室内機では、複数の第１リブは、１０ｍｍ以上２０ｍｍ以下の間隔で配置される。室内へと吹出される空気の吹出し方向に並んで底面の密閉空間に面する内面に配置される複数の第１リブに関しては、１０ｍｍ以上２０ｍｍ以下の間隔で配置される場合に対流抑制の効果が高いことを本発明の発明者は明らかにしている。このため、この空気調和機の室内機では、第１リブによる対流抑制の効果がより高い。
【００１８】
請求項１３に記載の空気調和機の室内機は、請求項９に記載の空気調和機の室内機であって、複数の前記第３リブは、１０ｍｍ以上２０ｍｍ以下の間隔で配置される。
この空気調和機の室内機では、複数の第３リブは、１０ｍｍ以上２０ｍｍ以下の間隔で配置される。室内へと吹出される空気の吹出し方向に並んで壁面の密閉空間に面する内面に配置される複数の第３リブに関しては、１０ｍｍ以上２０ｍｍ以下の間隔で配置される場合に対流抑制の効果が高いことを本発明の発明者は明らかにしている。このため、この空気調和機の室内機では、第３リブによる対流抑制の効果がより高い。
【００１９】
請求項１４に記載の空気調和機の室内機は、請求項１から１３に記載の空気調和機の室内機であって、密閉空間に密閉される気体は空気である。
この空気調和機の室内機では、空気が密閉空間に密閉されることによって、密閉空間が断熱層として機能する。このため、この空気調和機の室内機では、コスト安く密閉空間を形成することができる。
【００２０】
【発明の実施の形態】
＜空気調和機の全体構成＞
本発明の一実施形態が採用された空気調和機１の外観を図１に示す。
この空気調和機１は、室内の壁面などに取り付けられる室内機２と、室外に設置される室外機３とを備えている。
【００２１】
室内機２内には室内熱交換器５０が収納され、室外機３内には室外熱交換器３０が収納されており、各熱交換器３０，５０が冷媒配管４により接続されることにより冷媒回路を構成している。
＜空気調和機の冷媒回路の構成概略＞
空気調和機１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
【００２２】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。室内機２の詳細な構成については後に説明する。
【００２３】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器５０の一端と接続される。また、四路切換弁３３は、ガス閉鎖弁３７を介して配管４２に接続されており、この配管４２を介して室内熱交換器５０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００２４】
＜室内機の構成＞
図３（ａ）に室内機２の正面図、図３（ｂ）に室内機２の側面図を示す。室内機２は、正面視において左右方向に長い形状を有している。
室内機２は、主として、上部ケーシング６、下部ユニット７および室内機２の内部に収容されている室内熱交換器ユニット５（図５参照）によって構成されている。上部ケーシング６は、室内機２の上部を覆っている。下部ユニット７は室内機２の下部を構成している。上部ケーシング６と下部ユニット７とは別体に形成されており、上部ケーシング６と下部ユニット７の一部との境界が室内機２の外観において水平線として現れている。
【００２５】
以下、室内機２の各構成について説明する。
［上部ケーシング］
上部ケーシング６は、室内機２の上部を構成しており、上前面部６０、天面部６１および上側面部６２，６３によって構成されている。
上前面部６０は、図４に示すように、室内機２の前側上部を覆っており、室内熱交換器５０の前方を覆っている。なお、図４は、図３（ａ）におけるＩＶ−ＩＶ断面の模式図である。上前面部６０は、概ね平坦に形成されており、その一部に段差が設けられている。この段差の上面には室内機２の長手方向に長いスリット状の開口からなる前面吸込み口６０１が設けられている。前面吸込み口６０１は室内機２の上方へ向けて設けられている。
【００２６】
天面部６１は、室内機２の天面を覆っており、室内熱交換器５０の上方を覆っている。天面部６１には、複数のスリット状の開口からなる天面吸込み口６１１が設けられている。この天面吸込み口６１１は、天面部６１の前側から後側にかけて設けられており、前面吸込み口６０１よりも吸い込み面積が大きくなっている。このため、室内機２の天面後側からも十分に空気が吸い込まれるようになっている。
【００２７】
上側面部６２，６３は、室内機２の側面上部を覆っており、室内熱交換器５０の側方を覆っている。上側面部６２，６３には、右上側面部６２と左上側面部６３とがあり、右上側面部６２は正面視において室内熱交換器５０の右側方に配置され、左上側面部６３は室内熱交換器５０の左側方に配置されている。
また、上部ケーシング６の下端は水平に形成されており、上部ケーシング６が下部ユニット７に被せられることによって、上部ケーシング６と下部ユニット７との境界が水平線となって室内機２の正面視および側面視における外観に現れる。
【００２８】
［室内熱交換器ユニット］
室内熱交換器ユニット５は、図５に示すように、室内熱交換器５０、補助配管５１、熱交換器支持部材５２等によって構成されている。なお、図５は、上部ケーシング６が取り外された状態の下部ユニット７および室内熱交換器ユニット５の外観斜視図である。室内熱交換器ユニット５の室内熱交換器５０は、逆Ｖ字型の形状を有しており下方が開口しているため、室内熱交換器ユニット５は、クロスフローファン７１や室内ファンモータ７２が取り付けられた状態の下部ユニット７に上方から被せられ、熱交換器支持部材５２を介して下部ユニット７に支持される。
【００２９】
〈室内熱交換器〉
室内熱交換器５０は、図４に示すように、クロスフローファン７１の前方、上方および後方を取り囲むように取り付けられており、クロスフローファン７１が回転することにより吸込み口６０１，６１１から吸い込まれた空気をクロスフローファン７１側に通過させ、伝熱管の内部を通過する冷媒との間で熱交換を行わせる。室内熱交換器５０は、第１室内熱交換器５０ａ、第２室内熱交換器５０ｂ、第３室内熱交換器５０ｃ、第４室内熱交換器５０ｄの４つの部分に分割されている。室内熱交換器５０は、各室内熱交換器５０ａ，５０ｂ，５０ｃ，５０ｄがそれぞれ接合されることにより、側面視において両端が下方に向けて屈曲する概ね逆Ｖ字型の断面形状を有するように形成されている。
【００３０】
各室内熱交換器５０ａ，５０ｂ，５０ｃ，５０ｄは、それぞれ水平方向に長い板状の形状を有している。各室内熱交換器５０ａ，５０ｂ，５０ｃ，５０ｄは、両側端で複数回折り返されてなる伝熱管と、伝熱管が挿通される短冊状の複数のフィンとから構成されている。伝熱管は、各室内熱交換器５０ａ，５０ｂ，５０ｃ，５０ｄの両側端においてＵ字型伝熱管によって折り返されている。
【００３１】
第１室内熱交換器５０ａは、上端が室内機２の前方へ向けて傾斜しており、クロスフローファン７１の中央上方から後側上方を覆うように配置されている。
第２室内熱交換器５０ｂは、上端が室内機２の後方へ向けて傾斜しており、第１室内熱交換器５０ａの前方に配置されている。第２室内熱交換器５０ｂの上端は、第１室内熱交換器５０ａの上端と接合されており、第１室内熱交換器５０ａと第２室内熱交換器５０ｂとは、側面視において逆Ｖ字型になるように組み合わされている。第２室内熱交換器５０ｂは、クロスフローファン７１の中央上方から前側上方を覆うように配置されている。
【００３２】
第３室内熱交換器５０ｃは、第２室内熱交換器５０ｂの下方にクロスフローファン７１の前方を覆うように配置されている。第３室内熱交換器５０ｃの上端は第２室内熱交換器５０ｂの下端に角度を付けて接合されており、第３室内熱交換器５０ｃと第２室内熱交換器５０ｂとによって鈍角が形成されている。第３室内熱交換器５０ｃは、高さ方向、すなわち鉛直方向に平行になっており、室内熱交換器５０の下方の水平面を覆う下部ユニット７に対して垂直になっている。また、第３室内熱交換器５０ｃの下端は室内熱交換器５０の下端となっており、第３室内熱交換器５０ｃの下端、すなわち室内熱交換器５０の前側の下端は、クロスフローファン７１の中心軸と略同じ高さに位置している。
【００３３】
第４室内熱交換器５０ｄは、第１室内熱交換器５０ａの下方にクロスフローファン７１の後方を覆うように配置されている。第４室内熱交換器５０ｄの上端は、第１室内熱交換器５０ａの下端に角度を付けて接合されており、第４室内熱交換器５０ｄと第１室内熱交換器５０ａとによって鈍角が形成されている。第４室内熱交換器５０ｄは、高さ方向に平行になっており、室内熱交換器５０の下方の水平面を覆う下部ユニット７に対して垂直になっている。また、第４室内熱交換器５０ｄの下端は、室内熱交換器５０の後側の下端となっており、第４室内熱交換器５０ｄの下端、すなわち室内熱交換器５０の後側の下端は、クロスフローファン７１の中心軸と略同じ高さに位置している。
【００３４】
第３室内熱交換器５０ｃと第４室内熱交換器５０ｄとは高さ方向に同じ長さを有しており、第３室内熱交換器５０ｃと第４室内熱交換器５０ｄとの上端および下端は同じ高さに位置している。従って、室内熱交換器５０の前側の下端と後側の下端とは同じ高さになっており、クロスフローファン７１の中心軸と略同じ高さに位置している。また、室内熱交換器５０の前側下端と後側下端とは、逆Ｖ字型の部分の前後の下端から鉛直方向下向きにクロスフローファン７１の中心軸と略同じ高さまで伸びている。
【００３５】
第１室内熱交換器５０ａ、第２室内熱交換器５０ｂ、第３室内熱交換器５０ｃおよび第４室内熱交換器５０ｄは、それぞれ両側端（正面視における左右方向の端）に設けられた固定板によって相互に固定されることにより、一体に接合されて室内熱交換器５０を形成している。室内熱交換器５０は、第１室内熱交換器５０ａと第２室内熱交換器５０ｂとによって形成される逆Ｖ字型の部分と、第１室内熱交換器５０ａと第２室内熱交換器５０ｂとのそれぞれの下端から鉛直方向下向きに延びる直線部分とが組合された断面形状を有している。室内熱交換器５０は、逆Ｖ字型の頂点を通る鉛直方向に平行な直線について前後に線対称な断面形状を有しており、第１室内熱交換器５０ａと第２室内熱交換器５０ｂとが、また、第３室内熱交換器５０ｃと第４室内熱交換器５０ｄとが、それぞれ前後に対称になっている。なお、室内熱交換器５０は、側面視においては上記のように前後対称な逆Ｖ字型を含む断面形状に形成されているが、正面視においては横方向に長い形状を有している。
【００３６】
〈補助配管〉
補助配管５１は、室内熱交換器５０と、室内機２の外部にある冷媒配管４を繋いでおり、室内熱交換器５０と室外熱交換器３０との間を行き来する冷媒が流れる。補助配管５１は、図５に示すように、室内熱交換器５０の側面から突出する伝熱管に接続されている。補助配管５１は、室内熱交換器５０の右側面から突出しており、室内熱交換器５０の右側の空間で取り回されている。補助配管５１は、室内熱交換器５０の右側面から突出した後に室内機２の背面側へ向けて屈曲されている。そして、補助配管５１は、室内熱交換器５０の右側の空間を室内機２の背面側に沿って下方へと伸び、室内機２の後側下部の空間で室内機２の左側面に向けてさらに屈曲され、室内機２の後側下部左側で冷媒配管４（図１参照）に接続される。なお、補助配管５１は、室内機２の後側下部右側で冷媒配管４に接続されることも可能であり、この場合は、補助配管５１は、室内熱交換器５０の右側の空間で取り回されたのち、室内機２の後側下部右側で冷媒配管４に接続される。
【００３７】
なお、ここでいう「右」や「左」は、室内機２の正面視における右や左を意味しており、以下同様である。
〈熱交換器支持部材〉
熱交換器支持部材５２は、室内熱交換器５０の側面付近に設けられており、室内熱交換器５０を内側から支持すると共に、室内ファンモータ７２を覆う。また熱交換器支持部材５２は、右側方で取り回されている補助配管５１の一部を固定する。熱交換器支持部材５２は、室内熱交換器５０の右側面付近に設けられており、側板５４とモータカバー５５と配管固定部材５６とを有している。
【００３８】
側板５４は、室内熱交換器５０の逆Ｖ字型に沿った形状を有する板状の部分であり、室内熱交換器５０を内側から支持している。
モータカバー５５は、室内ファンモータ７２の上半分を覆う。モータカバー５５は、円弧状に湾曲する曲面形状を一部に有しており、側板５４から室内熱交換器５０の側方へと突出している。モータカバー５５は、室内ファンモータ７２の円周面の上半分と対向し、室内ファンモータ７２の上方を覆う。
【００３９】
なお、室内熱交換器５０の右側面からは補助配管５１が外側へと延びており、モータカバー５５は補助配管５１の下方に位置する。モータカバー５５は、補助配管５１から滴下したドレン水がドレンパン８０（図８参照）へと流れるように形成されており、ドレン水から室内ファンモータ７２を保護している。
配管固定部材５６は、補助配管５１の変形を抑えるために補助配管５１を固定する。配管固定部材５６は、室内熱交換器５０の側方で取り回されている補助配管５１の一部においてその全周を覆うことによって補助配管５１を固定する。配管固定部材５６は、第１配管固定部材５７と第２配管固定部材５８とを有している。第１配管固定部材５７は、側板５４に一体化されており、補助配管５１の側方を覆うことによって補助配管５１の側方への移動を規制する。第２配管固定部材５８は、補助配管５１を挟んで第１配管固定部材５７の反対側から補助配管５１を固定する。第２配管固定部材５８は、第１配管固定部材５７とは別体に形成されており、第１配管固定部材５７に取り付けられる。
【００４０】
［下部ユニット］
下部ユニット７は、室内機２の下部を構成しており、底ケーシング７０、支持ケーシング７８、ドレンパン８０、クロスフローファン７１、室内ファンモータ７２、電装品箱７３（図９参照）等がモジュール化されて構成されている。
〈底ケーシング〉
底ケーシング７０は、下部ユニット７の最も下方に設けられており、その上に支持ケーシング７８が取り付けられる。底ケーシング７０は、図６に示すように、下前面部７４、底面部７５、下側面部７６，７７を有している。
【００４１】
〔下前面部〕
下前面部７４は、室内機２の前面下部に配置されており、大きな切り欠きが設けられている。後述する支持ケーシング７８が底ケーシング７０に取り付けられた状態において、支持ケーシング７８の吹出し口１１は、下前面部７４の切り欠かれた部分を通して室内へと面する。
【００４２】
〔底面部〕
底面部７５は、室内機２の底面を覆っており、平坦に形成されている。底面部７５は、水平に配置されており、その上に支持ケーシング７８が配置される。底面部７５は、図７に示すように、支持ケーシング７８との間に第１密閉空間Ｓ１を形成する。なお、図７は下部ユニット７の側面断面図である。第１密閉空間Ｓ１は、空気が密閉されることにより断熱層として機能する。また、底面部７５の上面すなわち第１密閉空間Ｓ１に面する内面には、第１密閉空間Ｓ１を複数の空間に仕切る複数の第１リブ９１および複数の第２リブ９２からなる底面リブ９０が設けられている。
【００４３】
第１リブ９１は、底面部７５の内面から上方へ向けて延びており、第１密閉空間Ｓ１の底面部７５の内面近傍を前後方向に複数の空間に仕切る。第１リブ９１は、室内機２の左右方向に平行に底面部７５に対して垂直に設けられている。また、複数の第１リブ９１が、室内機２の吹出し方向（図７の矢印Ａ１参照）に沿ってすなわち前後方向に並んで配置されている。このため、複数の第１リブ９１は、底面部７５に沿って前後方向に流れる空気の流れを遮るように配置されている。第１リブ９１は、それぞれ約７．５ｍｍの高さを有しており、複数の第１リブ９１の前後方向の間隔は約１５ｍｍである。
【００４４】
第２リブ９２は、底面部７５の内面から上方へ向けて延びており、第１密閉空間Ｓ１の底面部７５の内面近傍を左右方向に複数の空間に仕切る。第２リブ９２は、室内機２の前後方向に平行に底面部７５に対して垂直に配置されており、第１リブ９１に交差している。また、複数の第２リブ９２が、室内機２の吹出し方向に垂直な方向に沿ってすなわち左右方向に並んで配置されている。このため、複数の第２リブ９２は、底面部７５に沿って左右方向に流れる空気の流れを遮るように配置されている。第２リブ９２は、それぞれ約７．５ｍｍの高さを有しており、複数の第２リブ９２の左右方向の間隔は約１２４ｍｍである。
【００４５】
なお、図６においては、理解の容易のため、第１リブ９１と第２リブ９２との一部にのみ符号を付しており他は省略している。
〔下側面部〕
下側面部７６，７７は、側面視において室内機２の側面下部として視野に現れる部分であり、室内機２の側面下部を覆っている。下側面部７６，７７には、右下側面部７６と左下側面部７７とがあり、右下側面部７６は正面視において室内機２の右側に配置され、左下側面部７７は室内熱交換器５０の左側に配置されている。また、下側面部７６，７７の上端は、下前面部７４と同様に概ね水平に形成されている。上部ケーシング６が下部ユニット７に被せられた状態では、上部ケーシング６の下端と、下部ユニット７の下前面部７４および下側面部７６，７７の上端が合致して、水平な境界線が構成される。
【００４６】
〈支持ケーシング〉
支持ケーシング７８は、図５に示すように、底ケーシング７０に上方から取り付けられる。支持ケーシング７８には、上方からクロスフローファン７１、室内ファンモータ７２、電装品箱７３（図９参照）、ドレンパン８０（図８参照）、室内熱交換器ユニット５等が取り付けられ、支持ケーシング７８は、クロスフローファン７１、室内ファンモータ７２、電装品箱７３、ドレンパン８０、室内熱交換器ユニット５等を下方から支持する。なお、支持ケーシング７８の上面は、クロスフローファン７１の中心軸と略同じ高さとなっている。支持ケーシング７８は、図７に示すように、ファン収容部１０、吹出し口１１、スクロール１２、ドレンパン固定部１３（図８参照）、支持部１４（図８参照）などを有している。
【００４７】
〔ファン収容部〕
ファン収容部１０は、クロスフローファン７１と室内ファンモータ７２とが収容される部分であり、支持ケーシング７８の上面の中央付近に設けられている。ファン収容部１０は、支持ケーシング７８の上面から下方に半円筒形状に窪んだ部材により形成されており、クロスフローファン７１と室内ファンモータ７２との下半分を収容する。また、クロスフローファン７１が収容される空間は、支持ケーシング７８の内部において、吹出し口１１に繋がる空気経路Ｒ１に連通している。
【００４８】
〔吹出し口〕
吹出し口１１は、支持ケーシング７８の前面下部に設けられており、クロスフローファン７１によって生成され空気経路Ｒ１を通って室内へと吹出される空気が通る。吹出し口１１は、室内機２の長手方向に沿う開口からなり、クロスフローファン７１が収納されている支持ケーシング７８の内部の空間に連通している。また、吹出し口１１には、室内へと吹出す空気が案内される水平フラップ７４２が設けられている（図４参照）。この水平フラップ７４２は、室内機２の長手方向に平行な軸を中心に回動自在に設けられており、フラップモータ（図示せず）によって回転駆動されることにより、吹出し口１１の開閉を行うことができる。
【００４９】
〔スクロール〕
スクロール１２は、ファン収容部１０と吹出し口１１とを繋いでおり、空気経路Ｒ１を形成する。スクロール１２は、支持ケーシング７８の内部において、クロスフローファン７１の回転軸に平行な軸を中心に湾曲している。そして、スクロール１２は一方の面において空気経路Ｒ１に面しており、その反対側の面において第１密閉空間Ｓ１に面している。すなわち、スクロール１２は、空気経路Ｒ１と第１密閉空間Ｓ１との間を仕切っている。スクロール１２の第１密閉空間Ｓ１に面する内面には、複数の第３リブ９３と複数の第４リブ９４とからなるスクロールリブ９５が設けられている。
【００５０】
複数の第３リブ９３は、図８に示すように、スクロール１２の内面に配置されている。第３リブ９３は、スクロール１２の内面から鉛直方向下向きへ向けて延びており、第１密閉空間Ｓ１のスクロール１２の内面近傍をスクロール１２に沿って前後方向に複数の空間に仕切る。第３リブ９３は、室内機２の左右方向に平行にスクロール１２の内面に設けられている。また、複数の第３リブ９３が、室内機２の吹出し方向に沿ってすなわち前後方向に並んで配置されている。このため、複数の第３リブ９３は、スクロール１２に沿って前後方向或いは上下方向に流れる空気の流れを遮るように配置されている。第３リブ９３は、それぞれ約５ｍｍの高さを有しており、複数の第３リブ９３の前後方向の間隔は約１５ｍｍである。
【００５１】
第４リブ９４は、スクロール１２の内面から鉛直方向下向きへ向けて延びており、第１密閉空間Ｓ１のスクロール１２の内面近傍を左右方向に複数の空間に仕切る。第４リブ９４は、室内機２の前後方向に平行にスクロール１２の内面に配置されており、第３リブ９３に交差して設けられている。また、複数の第４リブ９４が、室内機２の吹出し方向に垂直な方向に沿ってすなわち左右方向に並んで配置されている。このため、複数の第４リブ９４は、スクロール１２に沿って左右方向に流れる空気の流れを遮るように配置されている。第４リブ９４は、それぞれ約５ｍｍの高さを有しており、複数の第４リブ９４の左右方向の間隔は約３４ｍｍである。
【００５２】
なお、図８においては、理解の容易のため、第３リブ９３と第４リブ９４との一部にのみ符号を付しており他は省略している。
〔ドレンパン固定部〕
ドレンパン固定部１３は、支持ケーシング７８の上面に設けられており、ファン収容部１０の前後および右側に沿って配置されている。ドレンパン固定部１３は、ドレンパン８０が固定されてドレンパン８０を支持する部分であり、前固定部１５、後固定部１６、右固定部１７を有している。
【００５３】
前固定部１５は、図７に示すように、ファン収容部１０の前方にファン収容部１０に沿って設けられており、後述する前ドレンパン８１が固定される。前固定部１５は、左右方向に延設され上方が開口した溝状の形状を有しており、溝の前側の縁には、前凸部１５１が設けられている。前凸部１５１は、上に凸な形状となっており、前固定部１５の長手方向の略全体に亘って設けられている。この前凸部１５１は、前固定部１５と前ドレンパン８１とを固定するための前シール構造１５０の一部を構成する。また、前固定部１５に前ドレンパン８１が固定されることによって、前固定部１５の溝が閉じられて外部からの空気の出入りが遮断された第２密閉空間Ｓ２が形成される。この第２密閉空間Ｓ２には、空気が密閉されており、外部の空気の出入りが遮断される。このため、第２密閉空間Ｓ２は、断熱効果を有する空気断熱層となっている。
【００５４】
後固定部１６は、ファン収容部１０の後方にファン収容部１０に沿って設けられており、後述する後ドレンパン８２が固定される。後固定部１６は、左右方向に延設され上方が開口した溝状の形状を有しており、後固定部１６の後側の溝の縁には、後凸部１６１が設けられている。後凸部１６１は、上に凸な形状となっており、後固定部１６の長手方向の略全体に亘って設けられている。後凸部１６１は、後固定部１６と後ドレンパン８２とを固定するための後シール構造１６０の一部を構成する。また、後固定部１６に後ドレンパン８２が固定されることによって、後固定部１６の溝が閉じられて外部からの空気の出入りが遮断された第３密閉空間Ｓ３が形成される。この第３密閉空間Ｓ３は、空気が密閉されており、外部からの空気の出入りが遮断される。このため、第３密閉空間Ｓ３は、断熱効果を有する空気断熱層となっている。
【００５５】
右固定部１７は、ファン収容部１０の右側方にファン収容部１０に沿って設けられており、後述する連通路８３が固定される。右固定部１７は、前後方向に延設され上方が開口した溝状の形状を有しており、右固定部１７の溝の縁にも右凸部が設けられている（図示せず）。右凸部は、前凸部１５１や後凸部１６１と同様に、上に凸な形状となっており、右固定部１７の前後方向の略全体に亘って設けられている。
【００５６】
前固定部１５、後固定部１６、右固定部１７の各溝は、連続して繋がっており、ドレンパン固定部１３には、ファン収容部１０の周囲に沿ってコノ字型に配置され上方が開口した溝が設けられている。また、溝の外側の略全体に亘って上に凸な凸部１５１，１６１が設けられており、後述するシール構造１５０，１６０の一部を構成している。
【００５７】
〔支持部〕
支持部１４は、支持ケーシング７８が底ケーシング７０に取り付けられる際に底ケーシング７０に当接する部分である。支持部１４は、ドレンパン固定部１３およびファン収容部１０の下方に設けられ、スクロール１２の後方および両側方を覆う。支持部１４とスクロール１２と底面部７５とは、互いに固定されており、第１密閉空間Ｓ１を形成している。支持部１４は、第１密閉空間Ｓ１の後方および両側方を閉じる。スクロール１２は、第１密閉空間Ｓ１の前方を閉じる。底面部７５が第１密閉空間Ｓ１の下方を閉じる。
【００５８】
〈ドレンパン〉
ドレンパン８０は、熱交換時に室内熱交換器５０の表面に発生するドレン水を受ける部分であり、上面が下方に窪んだ部材によって形成されている。このドレンパン８０は、図８に示すように、前ドレンパン８１、後ドレンパン８２、連通路８３、ファン支持部材８８を有している。
【００５９】
前ドレンパン８１は、図４に示すように、第３室内熱交換器５０ｃの下方に、すなわち室内熱交換器５０の前側下端の下方に配置されている。前ドレンパン８１は、左右方向に長い形状を有し（図９参照）、ドレンパン固定部１３の前固定部１５に固定される。前ドレンパン８１の縁は、図７に示すように、外側下方へ向けて折り返されており、前凹部１５２が設けられている。前凹部１５２は、下方が開口した凹状の形状を有しており、前ドレンパン８１の長手方向の略全体に亘って設けられている。この前凹部１５２は、ドレンパン固定部１３の前固定部１５の前凸部１５１および後述する前シール材１５５と共に前シール構造１５０を構成しており、前凸部１５１に嵌合する。
【００６０】
後ドレンパン８２は、第４室内熱交換器５０ｄ、すなわち室内熱交換器５０の後側下端の下方に配置されている。後ドレンパン８２は、左右方向に長い形状を有し、ドレンパン固定部１３の後固定部１６に固定される。後ドレンパン８２の縁は、外側下方へ向けて折り返されており、後凹部１６２が設けられている。後凹部１６２は、下方が開口した凹状の形状を有しており、後ドレンパン８２の長手方向の略全体に亘って設けられている。この後凹部１６２は、ドレンパン固定部１３の後固定部１６の後凸部１６１および後シール材１６５と共に後シール構造１６０を構成しており、後凸部１６１に嵌合する。
【００６１】
なお、前ドレンパン８１と後ドレンパン８２とは、図９に示すように、クロスフローファン７１を挟んで前後に配置される。前ドレンパン８１と後ドレンパン８２とは、略同じ高さに位置しており、前ドレンパン８１と後ドレンパン８２との底面はクロスフローファン７１の中心軸の高さよりも低い位置にあり、室内熱交換器５０の下端に近接して配置されている。また、前ドレンパン８１と後ドレンパン８２とは、それぞれドレン水を受ける底面が、右側が左側よりも下方に位置するように長手方向に沿って僅かに傾斜している。
【００６２】
連通路８３は、図９に示すように、支持ケーシング７８の右側部分に固定され、前ドレンパン８１と後ドレンパン８２との各右側端のみにおいて前ドレンパン８１と後ドレンパン８２とを連通させる。すなわち、前ドレンパン８１と後ドレンパン８２とは、下方に傾斜している側のみにおいて連通される。また、支持ケーシング７８の左側部分には連通路８３が設けられておらず、前ドレンパン８１と後ドレンパン８２との各左側端では前ドレンパン８１と後ドレンパン８２とは連通しない。連通路８３は、ドレンパン固定部１３の右固定部１７に固定され、室内ファンモータ７２の右側方に配置される。このため、上面視において、クロスフローファン７１、室内ファンモータ７２、連通路８３の順に左右方向（室内機２の長手方向）に並んで配置されている。また、連通路８３の縁は、外側下方へと折り返されており、右凹部が設けられている（図示せず）。この右凹部は、前凹部１５２や後凹部１６２と同様に、下方が開口した凹状の形状を有しており、連通路８３の前後方向の略全体に亘って設けられている。この右凹部は、ドレンパン固定部１３の右固定部１７の右凸部に嵌合する。また、連通路８３には、ドレン水を排出する排出口８４が設けられている。排出口８４は、連通路８３の底面から下方へと貫通しており、ドレン水をドレンパン８０から外部へと排出するためのドレンホースの内部と連通している。室内熱交換器５０から滴下したドレン水は、前ドレンパン８１と後ドレンパン８２とによって受けられ、連通路８３で集められ、排出口８４からドレンホースを経て機外へと排出される。
【００６３】
ファン支持部材８８は、クロスフローファン７１の左側方に配置されており、クロスフローファン７１を回転自在に支持する。ファン支持部材８８は、前ドレンパン８１と後ドレンパン８２との各左側端の間に位置しており、クロスフローファン７１の連通路８３側とは反対側に位置している。
上記のように、前ドレンパン８１、後ドレンパン８２、連通路８３の縁には、下方が開口した凹部１５２，１６２が設けられ、ドレンパン固定部１３の縁の凸部１５１，１６１とドレンパン８０の縁の凹部１５２，１６２とが嵌合してシール構造１５０，１６０を形成する。ドレンパン固定部１３とドレンパン８０とが固定された状態でドレンパン固定部１３の凸部１５１，１６１の先端と対向するドレンパン８０の凹部１５２，１６２の底面には、シール材１５５，１６５が設けられる。図１０に、前ドレンパン８１と前固定部１５とを固定する前シール構造１５０の拡大図を示す。前固定部１５の前凸部１５１の先端１５３と対向する前ドレンパン８１の前凹部１５２の底面１５４には、前シール材１５５が設けられる。前シール材１５５は、前凸部１５１よりも大きな厚さを有し、前凹部１５２の内部の厚さ方向全体に亘って設けられる。具体的には、前凸部１５１の厚さＤ１は約２ｍｍであり、前凹部１５２の内部の厚さＤ２は約３ｍｍである。この前凹部１５２の内部には柔軟な前シール材１５５が埋め込まれるため、前シール材１５５の厚みも約３ｍｍとなる。前シール材１５５は、発泡材などの柔軟な材料によって形成され、前凹部１５２に前凸部１５１が挿入されると、前シール材１５５は、図１０（ｂ）に示すように、前凸部１５１の先端１５３によって圧縮されて前凸部１５１の先端１５３を覆うように変形する。従って、ドレンパン固定部１３とドレンパン８０との固定部分の隙間が前シール材１５５によって埋められるため、ドレンパン固定部１３とドレンパン８０との間隙から空気やドレン水などが出入りすることが防がれる。
【００６４】
後ドレンパン８２と後固定部１６とを固定する後シール構造１６０も前シール構造１５０と同様の構造であり、後シール材１６５によって、後凸部１６１と後凹部１６２との間隙が埋められる。
〈クロスフローファン〉
クロスフローファン７１は、長細い円筒形状に構成され、中心軸が水平方向に平行になるように配置される。クロスフローファン７１の周面には羽根が設けられており、クロスフローファン７１が中心軸周りに回転することにより、空気流を生成する。この空気流は、前面吸込み口６０１および天面吸込み口６１１から取り入れられ室内熱交換器５０を通り吹出し口１１から室内へと吹き出す空気の流れである。クロスフローファン７１は、側面視において室内機２の概ね中央に位置しており、上面視において前ドレンパン８１と後ドレンパン８２との間に配置されている。クロスフローファン７１は、支持ケーシング７８によって支持され、支持された状態のクロスフローファン７１の上半分は支持ケーシング７８の上面から上方へ突出している。
【００６５】
〈室内ファンモータ〉
室内ファンモータ７２は、クロスフローファン７１を中心軸周りに回転駆動する。室内ファンモータ７２は、クロスフローファン７１と略同じ直径を有する薄い円筒形状を有している。室内ファンモータ７２は、図９に示すように、クロスフローファン７１の右側方にクロスフローファン７１と同軸に配置されており、室内ファンモータ７２が支持ケーシング７８に取り付けられた状態では、室内ファンモータ７２とクロスフローファン７１との頂上部分との高さは略同じとなっている。
【００６６】
〈電装品箱〉
電装品箱７３は、室内機２の運転を制御するための制御基板７３１を収容する。電装品箱７３は、直方体の箱状の形状を有しており、下部ユニット７の右下側面部７６と支持ケーシング７８との間に配置され、室内熱交換器ユニット５の右側方に位置する。電装品箱７３は、室内ファンモータ７２の右側方において支持ケーシング７８の右側面に取り付けられて支持されており、室内熱交換器ユニット５が下部ユニット７に取り付けられる前に支持ケーシング７８に取り付けることができる。また、電装品箱７３は前側寄りに配置されており、電装品箱７３の後方の空間は前述した室内熱交換器ユニット５の補助配管５１が通る空間となっている。電装品箱７３は、制御基板７３１に取り付けられた制御部品のうち容量の大きなコンデンサやパワートランジスタなどの強電部品７３２が室内ファンモータ７２と軸方向に並ぶように配置されており、側面視において室内ファンモータ７２と電装品箱７３とが重なるように配置されている。また、電装品箱７３の上面は、下部ユニット７に支持された状態では、室内ファンモータ７２の頂上部分、すなわちクロスフローファン７１の頂上部分と略同じ高さに位置している。
【００６７】
下部ユニット７においては、室内ファンモータ７２、電装品箱７３、ドレンパン８０などの各部分が、下部ユニット７に支持された状態のクロスフローファン７１の頂上部分の高さ以下に位置しており、下部ユニット７は、全体として高さ方向に比較的寸法の小さい形状となっている。
＜特徴＞
（１）
この空気調和機１の室内機２では、断熱が必要な箇所に密閉空間Ｓ１，Ｓ２，Ｓ３が設けられている。密閉空間Ｓ１，Ｓ２，Ｓ３には、空気が密閉されており外部からの空気の出入りが遮断されているため、密閉空間Ｓ１，Ｓ２，Ｓ３は空気断熱層として機能することができる。
【００６８】
一方、単に密閉空間Ｓ１，Ｓ２，Ｓ３を設けるだけでは、周囲の温度変化によって密閉空間Ｓ１，Ｓ２，Ｓ３内で対流が生じ易くなる。密閉空間Ｓ１，Ｓ２，Ｓ３内で対流が生じると対流によって密閉空間Ｓ１，Ｓ２，Ｓ３の周囲が冷やされて結露が発生する恐れがある。例えば、第１密閉空間Ｓ１において、スクロール１２の内面や底面部７５の内面に沿って空気が対流すると、スクロール１２や底面部７５が冷やされて、スクロール１２の外面や底面部７５の外面において結露が発生する恐れがある。
【００６９】
しかし、この空気調和機１の室内機２では、最も大きな第１密閉空間Ｓ１を構成する底面部７５の内面とスクロール１２の内面とにそれぞれ複数のリブ９１，９２，９３，９４が設けられている。このため、第１密閉空間Ｓ１内でのスクロール１２の内面に沿う対流がスクロールリブ９５によって乱されて遮られる。また、第１密閉空間Ｓ１内での底面部７５の内面に沿う対流が底面リブ９０によって乱されて遮られる。このように、この空気調和機１の室内機２では、対流によって底面部７５やスクロール１２が冷やされることが防止される。これにより、結露の発生が防止される。
【００７０】
なお、第１密閉空間Ｓ１を断熱材で埋めることや、底面部７５の内面やスクロール１２の内面に断熱材を貼り付けることによっても、結露の発生を防止することができる。しかし、この空気調和機１の室内機２では、このような断熱材を設けることなく結露を防止することができるため、断熱材にかかるコストが低減されている。
【００７１】
（２）
この空気調和機１の室内機２では、ドレンパン固定部１３とドレンパン８０とによって第２密閉空間Ｓ２及び第３密閉空間Ｓ３が形成されており、それぞれ空気断熱層として機能している。このような空気断熱層においては、空気の出入りを遮断することが重要である。そして、この空気調和機１の室内機２では、上記のようなシール構造１５０．１６０によって、ドレンパン固定部１３の凸部１５１，１６１とドレンパン８０の凹部１５２，１６２との間隙がシール材１５５，１６５によって埋められる。従って、ドレンパン固定部１３とドレンパン８０との固定部分における空気の侵入を十分に防止することができる。また、ドレンパン８０の清掃時などにおいて第２密閉空間Ｓ２や第３密閉空間Ｓ３への水の浸入を十分に防止することができる。
【００７２】
また、この空気調和機１の室内機２では、上記のように、凹部１５２，１６２の内部にシール材１５５，１６５が設けられる構造となっているため、凹部１５２，１６２へのシール材１５５，１６５の取り付けが容易である。さらに、粘着材が不要となるためコストが低減している。
＜他の実施形態＞
（１）
上記の実施形態では、複数のリブ９１，９２，９３，９４が設けられているが、リブが一つだけ設けられてもよい。この場合であっても、ある程度の対流を抑制する効果が得られる。
【００７３】
また、上記の実施形態では、第１リブ９１と第２リブとが垂直に交差しており、第３リブ９３と第４リブ９４とが垂直に交差している。しかし、リブ９１，９２，９３，９４の配置はこれらに限られるものではなく、各リブ９１，９２，９３，９４が垂直以外の角度で交差するように配置される場合であっても、十分に対流を抑制することができる。
【００７４】
（２）
上記の実施形態では、凸部１５１，１６１がドレンパン固定部１３に設けられ、凹部１５２，１６２がドレンパン８０に設けられているが、逆に、凸部がドレンパン８０に設けられ、凹部がドレンパン固定部１３に設けられてもよい。この場合も上記と同様の効果が得られる。
【００７５】
【発明の効果】
請求項１に記載の空気調和機の室内機では、仕切部材によって断熱層として機能する密閉空間が複数の空間に仕切られる。このため、密閉空間内での気体の対流が仕切り部材によって抑えられる。これにより、この空気調和機の室内機では、断熱層近傍における結露の発生を抑えることができる。
【００７６】
請求項２に記載の空気調和機の室内機では、仕切部材は密閉空間内の気体の流れを遮るために設けられる。従って、密閉空間内での気体の対流が仕切り部材によって抑えられる。これにより、この空気調和機の室内機では、断熱層近傍における結露の発生を抑えることができる。
請求項３に記載の空気調和機の室内機では、仕切部材は、密閉空間形成部材の密閉空間に面する内面から延びるリブである。このため、密閉空間形成部材の密閉空間に面する内面に沿う気体の流れをリブによって遮ることができる。従って、密閉空間形成部材の密閉空間に面する内面に沿って生じる気体の対流をリブによって抑えることができる。これにより、この空気調和機の室内機では、断熱層近傍における結露の発生を抑えることができる。
【００７７】
請求項４に記載の空気調和機の室内機では、複数のリブが、密閉空間形成部材の密閉空間に面する内面に設けられる。このため、密閉空間はより細かく複数の空間に仕切られる。従って、この空気調和機の室内機では、密閉空間内での気体の対流をより抑えることができる。
請求項５に記載の空気調和機の室内機では、底面の密閉空間に面する内面に底面リブが設けられる。このため、密閉空間内を下方へ向けて流れて底面に沿って流れる冷たい気体の流れを底面リブによって遮ることができる。これによって、この空気調和機の室内機では、底面近傍における結露の発生を抑えることができる。
【００７８】
請求項６に記載の空気調和機の室内機では、複数の第１リブが、室内へと吹出される空気の吹出し方向に並んで、底面の密閉空間に面する内面に配置される。このため、底面の密閉空間に面する内面に沿って流れる気体の流れのうち吹出し方向或いは吹出し方向と逆方向への流れが、第１リブによって遮られる。これにより、この空気調和機の室内機では、底面における結露の発生を抑えることができる。
【００７９】
請求項７に記載の空気調和機の室内機では、複数の第２リブは、吹出し方向に交差し且つ底面に平行な方向に並んで、底面の密閉空間に面する内面に配置される。このため、底面の密閉空間に面する内面に沿って流れる気体の流れのうち吹出し方向に交差する方向への流れが、第２リブによって遮られる。これにより、この空気調和機の室内機では、底面における結露の発生をより抑えることができる。
【００８０】
請求項８に記載の空気調和機の室内機では、壁面の密閉空間に面する内面に壁面リブが設けられる。このため、密閉空間内を壁面に沿って流れる冷たい気体の流れを壁面リブによって遮ることができる。これによって、この空気調和機の室内機では、壁面における結露の発生を抑えることができる。
請求項９に記載の空気調和機の室内機では、複数の第３リブが、室内へと吹出される空気の吹出し方向に並んで、壁面の密閉空間に面する内面に配置される。このため、壁面の密閉空間に面する内面に沿って流れる気体の流れのうち吹出し方向或いは吹出し方向と逆方向への流れが、第３リブによって遮られる。これにより、この空気調和機の室内機では、壁面における結露の発生を抑えることができる。
【００８１】
請求項１０に記載の空気調和機の室内機では、複数の第４リブは、吹出し方向に交差し且つ壁面に平行な方向に並んで、壁面の密閉空間に面する内面に配置される。このため、壁面の密閉空間に面する内面に沿って流れる気体の流れのうち吹出し方向に交差する方向への流れが、第４リブによって遮られる。これにより、この空気調和機の室内機では、壁面における結露の発生をより抑えることができる。
【００８２】
請求項１１に記載の空気調和機の室内機では、リブは５ｍｍ以上の高さを有する。リブによる対流抑制の効果は、リブの高さが５ｍｍ以上である場合により効果的であることを本発明の発明者は明らかにしている。このため、この空気調和機の室内機では、リブによる対流抑制の効果がより高い。なお、リブは密閉空間内に設けられるため、リブの高さの上限は、密閉空間の大きさによって制限される。
【００８３】
請求項１２に記載の空気調和機の室内機では、複数の第１リブは、１０ｍｍ以上２０ｍｍ以下の間隔で配置される。室内へと吹出される空気の吹出し方向に並んで底面の密閉空間に面する内面に配置される複数の第１リブに関しては、１０ｍｍ以上２０ｍｍ以下の間隔で配置される場合に対流抑制の効果が高いことを本発明の発明者は明らかにしている。このため、この空気調和機の室内機では、第１リブによる対流抑制の効果がより高い。
【００８４】
請求項１３に記載の空気調和機の室内機では、複数の第３リブは、１０ｍｍ以上２０ｍｍ以下の間隔で配置される。室内へと吹出される空気の吹出し方向に並んで壁面の密閉空間に面する内面に配置される複数の第３リブに関しては、１０ｍｍ以上２０ｍｍ以下の間隔で配置される場合に対流抑制の効果が高いことを本発明の発明者は明らかにしている。このため、この空気調和機の室内機では、第３リブによる対流抑制の効果がより高い。
【００８５】
請求項１４に記載の空気調和機の室内機では、空気が密閉空間に密閉されることによって、密閉空間が断熱層として機能する。このため、この空気調和機の室内機では、コスト安く密閉空間を形成することができる。
【図面の簡単な説明】
【図１】空気調和機の全体図。
【図２】空気調和機の冷媒系統図。
【図３】（ａ）空気調和機の室内機の正面図。
（ｂ）空気調和機の室内機の右側面図。
【図４】空気調和機の室内機の側面断面図。
【図５】室内熱交換器ユニットおよび下部ユニットの外観斜視図。
【図６】底ケーシングの外観斜視図。
【図７】下部ユニットの側面断面図。
【図８】支持部およびドレンパンの外観斜視図。
【図９】下部ユニットの上面図。
【図１０】（ａ）前シール構造の拡大図（嵌合前）
（ｂ）前シール構造の拡大図（嵌合後）
【符号の説明】
１        空気調和機
２        室内機
１２      スクロール（密閉空間形成部材、壁面）
１４      支持部（密閉空間形成部材）
７５      底面部（密閉空間形成部材、底面）
９０      底面リブ（仕切部材）
９１      第１リブ（仕切部材）
９２      第２リブ（仕切部材）
９３      第３リブ（仕切部材）
９４      第４リブ（仕切部材）
９５      スクロールリブ（仕切部材、壁面リブ）
Ｒ１      空気経路
Ｓ１      第１密閉空間（密閉空間）
【図１】
2005016848.tif 000003
【図２】
2005016848.tif 000004
【図３】
2005016848.tif 000005
【図４】
2005016848.tif 000006
【図５】
2005016848.tif 000007
【図６】
2005016848.tif 000008
【図７】
2005016848.tif 000009
【図８】
2005016848.tif 000010
【図９】
2005016848.tif 000011
【図１０】
2005016848.tif 000012